(57)【要約】【課題】資源の節約が実現され、より経済的な毛染め櫛構造を提供する。【解決手段】毛染め管の前方に連接座が組み立てられ、該連接座に、髮櫛本体が挿入され、該連接座に実装された制御部品とバネにより、髮櫛本体が係止されて固定されるか外すことができ、また、連接座の一側に、更に外蓋を嵌合することにより、制御部品とバネが、確実に連接座に実装されて、脱離することがない。【選択図】図２
0003131043.tif 000002
【実用新案登録請求の範囲】
【請求項１】
毛染め管の前方に連接座が組み立てられ、該連接座に、髮櫛本体が挿入され、該連接座に実装された制御部品とバネにより、髮櫛本体が係止されて固定されるか外すことができ、また、連接座の一側に、更に外蓋を嵌合することにより、制御部品とバネが、確実に連接座に実装されて、脱離することがない毛染め櫛構造であって、
連接座の中段において、内部に、収納空間が形成され、収納空間内の中央壁面に上へ延ばす退避槽が形成され、また、該退避槽の外部において、連接座の周縁の上方に対する位置に、更に、穴が形成され、そして、連接座の前方に、結合段が延ばし、該結合段の内部に、下へ貫通して、前端の上下に、それぞれ、収納空間に連通する結合穴と収納穴が貫設され、
また、下方の横方向に係止ブロックが設けられる押し圧部からなる制御部品があり、また、該係止ブロックにおいて、中央に、貫通穴が形成され、下方に、突出柱が設けられ、
バネが、連接座と制御部品との間に設置されることにより、制御部品を常に上へ付勢する状態になり、
外蓋が、枠形状で、内側に、上へ延ばして貫通する退避槽が形成され、また、該退避槽の外部において、外蓋の周縁の上方に対応する位置に、穴が形成され、
髮櫛本体に、結合柱と流通管が設けられ、結合柱の後方の下周縁面に、係止槽が形成され、流通管の下方に、貫通穴により連通された髮櫛が延ばし、
上記の構造により、バネが、制御部品の突出柱に嵌設され、また、制御部品と一緒に連接座の収納空間内に収納され、係止ブロックが、対応的に退避槽に係止され、また、退避槽が上へ延ばして貫通することにより、押し圧部が、外部へ延ばすように、穴内に収納され、外蓋が、連接座の開放側に嵌合され、また、連接座と外蓋の退避槽の上方の貫通部が、係止ブロックより小さいため、制御部品が、連接座と外蓋との間に制限されて、上下に変位することができるが、外へ脱離することができなく、また、毛染め管が、連接座に組み立てられ、そして、髮櫛本体の結合柱と流通管が、それぞれ、連接座の結合穴と収納穴に挿入され、結合柱が、貫通穴に貫設され、また、バネにより制御部品が上へ付勢されることにより、係止ブロックが係止槽に係止するようになり、そのため、髮櫛本体が連接座から脱離することがなく、また、制御部品を押し圧すと、髮櫛本体が前から引き出される、ことを特徴とする毛染め櫛構造。
【請求項２】
毛染め管の内部に、毛染め剤や髪造型等の溶剤が注入され、また、その後方に、回転部品が設けられ、該回転部品を回転すると、毛染め管の内部の封止シートが、前へ変位するように付勢され、これにより、毛染め管の内部空間が縮小されて、毛染め剤や髪造型等の溶剤が前へ押し出されることを特徴とする請求項１に記載の毛染め櫛構造。
【請求項３】
毛染め管と連接座とが、嵌合槽により、対応する嵌合ブロックに螺着されるように、組み立てられて結合され、また、毛染め管を逆方向に回転することにより、毛染め管と連接座とが分離されることを特徴とする請求項１に記載の毛染め櫛構造。
【請求項４】
外蓋が、連結柱により、対応する連接座の孔柱内に係合することにより、結合されることを特徴とする請求項１に記載の毛染め櫛構造。
【請求項５】
連接座の後方に、直接に、封止蓋が成型され、該封止蓋の内部において、中央に、連接座の後方に位置する貫通穴を通する中空状である雌ねじ棒が、設けられ、封止蓋が、雌ねじ棒により、チューブ容器に螺着され、これにより、チューブ容器を外へ向かって搾ることができ、そのため、チューブ容器内の溶剤が、連接座の内部に位置する雌ねじ棒を介して、流通管から髮櫛本体の外へ搾り出されることを特徴とする請求項１に記載の毛染め櫛構造。
【請求項６】
連接座の結合段が、それそれ、連接座と外蓋の前方に設けられ、外蓋が連接座に嵌合される時、二つの対応する結合段により、完全の結合穴と収納穴が形成されることを特徴とする請求項１に記載の毛染め櫛構造。
【考案の詳細な説明】
【技術分野】
【０００１】
本考案は、毛染め櫛構造に関し、特に、毛染め過程において、毛染め剤が手に触れることなく、均一的に、髪の毛に塗布することができるものに関する。
【背景技術】
【０００２】
従来の毛染め櫛構造は、毛染め剤を毛染め管に注入して、該毛染め管のダイヤルを回転して、毛染め管内の空間を縮小することにより、毛染め剤を前へ搾り出し、また、毛染め管の前方に組み立てられた毛染め櫛により塗布し、毛染め剤を髪の毛に塗布することが便利であるが、従来の毛染め櫛が、一体であるため、１度を使用すると、毛染め櫛が一体であり、一つずつ外して交換することができないため、毛染め剤が毛染め櫛内の流路に充填し、また、毛染め剤が乾いたら、流路が塞がれ、次回に使用できなくなり、そのため、毛染め櫛全体を廃棄しなければならないから、新しい毛染め櫛を買う必要があり、資源の無駄を来たし、そして、コストが高くなる。
【考案の開示】
【考案が解決しようとする課題】
【０００３】
本考案の目的は、髮櫛本体と毛染め管が、使用した後、連接座と分離して交換することができ、交換可能の特性により、１回使用したことだけで、毛染め櫛全体を廃棄することが必要しないため、資源を節約でき、より経済的である毛染め櫛構造を提供する。
【課題を解決するための手段】
【０００４】
請求項１の考案は、毛染め管の前方に連接座が組み立てられ、該連接座に、髮櫛本体が挿入され、該連接座に実装された制御部品とバネにより、髮櫛本体が係止されて固定されるか外すことができ、また、連接座の一側に、更に外蓋を嵌合することにより、制御部品とバネが、確実に連接座に実装されて、脱離することがない毛染め櫛構造であって、連接座の中段において、内部に、収納空間が形成され、収納空間内の中央壁面に上へ延ばす退避槽が形成され、また、該退避槽の外部において、連接座の周縁の上方に対する位置に、更に、穴が形成され、そして、連接座の前方に、結合段が延ばし、該結合段の内部に、下へ貫通して、前端の上下に、それぞれ、収納空間に連通する結合穴と収納穴が貫設され、また、下方の横方向に係止ブロックが設けられる押し圧部からなる制御部品があり、また、該係止ブロックにおいて、中央に、貫通穴が形成され、下方に、突出柱が設けられ、バネが、連接座と制御部品との間に設置されることにより、制御部品を常に上へ付勢する状態になり、外蓋が、枠形状で、内側に、上へ延ばして貫通する退避槽が形成され、また、該退避槽の外部において、外蓋の周縁の上方に対応する位置に、穴が形成され、髮櫛本体に、結合柱と流通管が設けられ、結合柱の後方の下周縁面に、係止槽が形成され、流通管の下方に、貫通穴により連通された髮櫛が延ばし、上記の構造により、バネが、制御部品の突出柱に嵌設され、また、制御部品と一緒に連接座の収納空間内に収納され、係止ブロックが、対応的に退避槽に係止され、また、退避槽が上へ延ばして貫通することにより、押し圧部が、外部へ延ばすように、穴内に収納され、外蓋が、連接座の開放側に嵌合され、また、連接座と外蓋の退避槽の上方の貫通部が、係止ブロックより小さいため、制御部品が、連接座と外蓋との間に制限されて、上下に変位することができるが、外へ脱離することができなく、また、毛染め管が、連接座に組み立てられ、そして、髮櫛本体の結合柱と流通管が、それぞれ、連接座の結合穴と収納穴に挿入され、結合柱が、貫通穴に貫設され、また、バネにより制御部品が上へ付勢されることにより、係止ブロックが係止槽に係止するようになり、そのため、髮櫛本体が連接座から脱離することがなく、また、制御部品を押し圧すと、髮櫛本体が前から引き出されることを特徴とする毛染め櫛構造の考案である。
【０００５】
請求項２の考案は、毛染め管の内部に、毛染め剤や髪造型等の溶剤が注入され、また、その後方に、回転部品が設けられ、該回転部品を回転すると、毛染め管の内部の封止シートが、前へ変位するように付勢され、これにより、毛染め管の内部空間が縮小されて、毛染め剤や髪造型等の溶剤が前へ押し出されることを特徴とする請求項１に記載の毛染め櫛構造である。
【０００６】
請求項３の考案は、毛染め管と連接座とが、嵌合槽により、対応する嵌合ブロックに螺着されるように、組み立てられて結合され、また、毛染め管を逆方向に回転することにより、毛染め管と連接座とが分離されることを特徴とする請求項１に記載の毛染め櫛構造である。
【０００７】
請求項４の考案は、外蓋が、連結柱により、対応する連接座の孔柱内に係合することにより、結合されることを特徴とする請求項１に記載の毛染め櫛構造である。
【０００８】
請求項５の考案は、連接座の後方に、直接に、封止蓋が成型され、該封止蓋の内部において、中央に、連接座の後方に位置する貫通穴を通す中空状である雌ねじ棒が、設けられ、封止蓋が、雌ねじ棒により、チューブ容器に螺着され、これにより、チューブ容器を外へ向かって搾ることができ、そのため、チューブ容器内の溶剤が、連接座の内部に位置する雌ねじ棒を介して、流通管から髮櫛本体の外へ搾り出されることを特徴とする請求項１に記載の毛染め櫛構造である。
【０００９】
請求項６の考案は、連接座の結合段が、それそれ、連接座と外蓋の前方に設けられ、外蓋が連接座に嵌合される時、二つの対応する結合段により、完全の結合穴と収納穴が形成されることを特徴とする請求項１に記載の毛染め櫛構造である。
【考案を実施するための最良の形態】
【００１０】
本考案は、図１と２を参照しながら、毛染め管１０の前方に連接座２０が組み立てられ、該連接座２０に、髮櫛本体６０が挿入され、該連接座２０に実装された制御部品３０とバネ４０により、讓髮櫛本体６０が係止されて固定されるか外されて交換されることができ、また、連接座２０の一側に、更に外蓋５０を嵌合することにより、制御部品３０とバネ４０が、確実に連接座２０に実装されて、脱離することがなく、また、毛染め管１０の内部に、毛染め剤が注入され、その後方へ延ばす回転部品１１が設けられ、該回転部品１１を回転すると、図３のように、毛染め管１０内部の封止シート１２が、前へ変位するように付勢され、これにより、毛染め管１０の内部空間が縮小されて、毛染め剤が前へ搾り出され、また、毛染め管１０の前方に、嵌合槽１３１を有するウィング１３が延ばし、毛染め管１０が、ウィング１３により連接座２０に結合され、また、毛染め管１０を回転することにより、連接座２０と毛染め管１０とが、分離され、連接座２０の後方に、貫通穴と、毛染め管１０嵌合槽１３１と結合できる嵌合ブロック２１とが設けられ、中段の内部に、収納空間２２が形成され、収納空間２２内に孔柱２３が突設され、また、中央の壁面に、上へ貫通する退避槽２４が形成され、また、該退避槽２４の外部において、連接座２０の周縁の上方に対応する位置に、更に、穴２５が形成され、また、連接座２０の前方に、結合段２６が延ばし、該結合段２６の内部に、下へ貫通して、前端の上下に、それぞれ、収納空間２２と連通する結合穴２７と収納穴２８が貫設され、また、下方の横方向に扁平状の係止ブロック３２が設けられる押し圧部３１からなる制御部品３０があり、また、該係止ブロック３２において、中央に、貫通穴３３が形成され、下方に、突出柱３４が設けられ、バネ４０が、連接座２０と制御部品３０との間に設置されことにより、制御部品３０を常に上へ付勢する状態になり、外蓋５０が、枠形状で、内側に、連結柱５１が突設され、上へ貫通する退避槽５２が形成され、また、該退避槽５２の外部において、外蓋５０の周縁の上方に対応する位置に、穴５３が形成され、髮櫛本体６０に、結合柱６１と流通管６３が設けられ、結合柱６１の後方の下周縁面に、係止槽６２が形成され、図３のように、流通管６３の下方に、貫通穴により連通された髮櫛６４が延ばす。
【００１１】
組立てる時、図１と３のように、バネ４０が、制御部品３０の突出柱３４に嵌設され、そして、制御部品３０と一生に連接座２０の収納空間２２内に収納され、これにより、係止ブロック３２が退避槽２４に係止され、また、上へ貫通する退避槽２４を介して、押し圧部３１が延ばし出して、穴２５内に収納され、外蓋５０が、連結柱５１により孔柱２３に係止され、そして、退避槽５２に係止ブロック３２が係止され、また、穴５３に押し圧部３１が収納されることにより、確実に、連接座２０の開放側に嵌合され、また、連接座２０と外蓋５０の退避槽２４、５２の上方の貫通部が、係止ブロック３２よりやや小さいため、制御部品３０が、連接座２０と外蓋５０との間に制限されて、上下へ変位でき、外へ脱離することができなく、また、毛染め管１０が、連接座２０に螺着され、また、髮櫛本体６０は、結合柱６１と流通管６３とが、それぞれ、連接座２０の結合穴２７と収納穴２８に挿入されることにより、結合柱６１が貫通穴３３を貫通して、また、バネ４０により制御部品３０が上へ付勢され、そのため、係止ブロック３２が、係止槽６２に係止されて、そのため、髮櫛本体６０が連接座２０に結合されると、脱離することが無く、組立てが完成される。
【００１２】
使用する時、毛染め管１０の回転部品１１を回転して、毛染め管１０の内部の毛染め剤が前へ搾り出され、連接座２０の後方の貫通穴を介して、髮櫛本体６０の流通管６３に入り、また、流通管６３と下方の髮櫛６４との間に、流通のための貫通孔があり、そのため、毛染め剤が流通管６３に入ると、貫通孔を介して、髮櫛６４に分散され、ユーザーがそれを利用して塗布することにより、髪の毛の色が染め変えされる。
【００１３】
図４と５を参照しながら、髮櫛本体６０と連接座２０との間において、係止ブロック３２が係止槽６２に嵌入されるため、結合され、使用した後、髮櫛本体６０を交換する時、押し圧部３１を押し圧すと、制御部品３０全体が、下へ滑り、係止ブロック３２が係止槽６２から脱離し、バネ４０も圧縮されて、髮櫛本体６０を前から引き出すことができ、これにより、交換することができ、また、髮櫛本体６０を交換した後、流通管６３と貫通孔とが、乾いた毛染め剤により塞がれることが無いため、再び使用する時、毛染め剤がスムーズに搾り出され、また、毛染め管１０内の溶剤が完全に使用され、無駄にすることを防止でき、また、図６のように、毛染め管１０を回転すると、連接座２０から分離され、毛染め管１０内の溶剤が使用されてしまうと、毛染め管１０を交換できる。
【００１４】
また、毛染め管１０の内部に髪造型等の溶剤を注入することができ、これにより、該毛染め櫛構造が、より多様化の利用態様になり、或いは、図７のように、連接座２０の後方に、直接に、封止蓋２９を成型してもよく、該封止蓋２９の内部が、中空である雌ねじ棒２９１により、連接座２０の後方の貫通穴に連通され、これにより、封止蓋２９が、雌ねじ棒２９１により、チューブ容器７０と螺着され、また、そして、チューブ容器７０内の溶剤が、チューブ容器７０の外へ絞り出され、また、雌ねじ棒２９１を介して、連接座２０の内部に入り、そして、流通管６３を介して、髮櫛本体６０の外へ搾り出される。
【００１５】
図８を参照しながら、連接座２０の結合段２６を、２部分に分けて、それぞれ、連接座２０と外蓋５０の前方に設けられ、外蓋５０が連接座２０に嵌合される時、二つの対応する結合段２６、５４により、完全の結合穴２７、５５と収納穴２８、５６が形成されてもよい。
【００１６】
上記の実施例の構造によれば、下記の利点が得られ、使用した後、髮櫛本体６０と毛染め管１０とが、連接座２０から分離されて交換されることができ、交換可能の特性により、１度だけを使用すると、毛染め櫛全体を廃棄することが必要しなく、資源を節約することができ、より経済的になる。
【図面の簡単な説明】
【００１７】
【図１】本考案の立体組立て図
【図２】本考案の立体分解図
【図３】考案の組立て断面図
【図４】本考案の押し圧状態の概念図
【図５】本考案の髮櫛本体を交換する時の状態概念図
【図６】本考案の毛染め管を交換する時の状態概念図
【図７】本考案の他の実施例図
【図８】本考案の更の他の実施例図
【符号の説明】
【００１８】
１０        毛染め管
１１        回転部品
１２        封止シート
１３        ウィング
１３１      嵌合槽
２０        連接座
２１        嵌合ブロック
２２        収納空間
２３        孔柱
２４        退避槽
２５        穴
２６        結合段
２７        結合穴
２８        収納穴
２９        封止蓋
２９１      雌ねじ棒
３０        制御部品
３１        押し圧部
３２        係止ブロック
３３        貫通穴
３４        突出柱
４０        バネ
５０        外蓋
５１        連結柱
５２        退避槽
５３        穴
５４        結合段
５５        結合穴
５６        収納穴
６０        髮櫛本体
６１        結合柱
６２        係止槽
６３        流通管
６４        髮櫛
７０        チューブ容器
【図１】
0003131043.tif 000003
【図２】
0003131043.tif 000004
【図３】
0003131043.tif 000005
【図４】
0003131043.tif 000006
【図５】
0003131043.tif 000007
【図６】
0003131043.tif 000008
【図７】
0003131043.tif 000009
【図８】
0003131043.tif 000010